(57)【要約】【課題】  マウス操作を無理な姿勢をとることなく行い得るマウスパッドおよびアームレストの提供。【解決手段】  ディスプレイに表示される画面を操作するマウスを載置するパッド部と、作業者の前腕部を載置する載置部とを有し、該載置部の左右方向の軸線に対してパッド部の左右幅方向の軸線が作業者側に鋭角を形成するよう相対的に傾斜していることを特徴とするマウスパッド。【選択図】  図１
2006350584.tif 000002
【特許請求の範囲】
【請求項１】
ディスプレイに表示される画面を操作するマウスを載置するパッド部と、作業者の前腕部を載置する載置部とを有し、該載置部の左右方向の軸線に対してパッド部の左右幅方向の軸線が作業者側に鋭角を形成するよう相対的に傾斜していることを特徴とするマウスパッド。
【請求項２】
載置部の上面はパッド部の載置面から所定高さだけ上方に位置し、且つ前記上面はパッド部側に上傾斜していることを特徴とする請求項１記載のマウスパッド。
【請求項３】
マウスパッドに載置したマウスを操作する際に作業者の前腕部を載置するアームレストであって、マウスパッドの前面に接触させた際に前腕部を載置する上面の左右方向の軸線がマウスパッドの左右方向の軸線に対して作業者側に鋭角をなすよう構成されていることを特徴とするアームレスト。
【請求項４】
マウスパッドの前部に当接して上面を鋭角とすべく上面より低い当接部を有することを特徴とする請求項３記載のアームレスト。
【請求項５】
前腕部を載置する上面が、マウスパッドの載置面から所定高さだけ上方に位置し、且つ前記上面はマウスパッド側に上傾斜していることを特徴とする請求項３または請求項４記載のアームレスト。
【発明の詳細な説明】
【技術分野】
【０００１】
本発明は、例えばパーソナルコンピュータ等の電子機器を操作するマウスを載置するマウスパッドおよびマウスを操作するのに用いるアームレストに関する。
【背景技術】
【０００２】
従来、パーソナルコンピュータ（以下単に「パソコン」と称す）等の電子機器に付設するマウスを載置してこれを操作するためにマウスパッドが用いられる。このようなマウスパッドには、マウスを載置するパッド部に作業者の前腕部を載置するアームレスト部を一体的に設けたものがある（例えば、特許文献１参照）。上記マウスパッドでは、作業者はアームレスト部に右前腕部を載置して、パッド部に載置したマウスを操作するようにして使用する。
【特許文献１】特開２０００−４７７９５号公報
【発明の開示】
【発明が解決しようとする課題】
【０００３】
しかしながら、上記従来のマウスパッドにおけるアームレスト部は、パッド部の左右方向の軸線に対してその軸線が平行であった。このため、作業者がアームレストブレードに前腕部を載置してマウスを操作する際、前腕部が内側に向く傾向となり、人間工学的には無理な姿勢になる傾向にあり、マウスの操作がし難かった。
【０００４】
そこで本発明は、上記課題に鑑み、マウスの操作を無理な姿勢をとることなく行い得るマウスパッドおよびアームレストの提供を課題とする。
【課題を解決するための手段】
【０００５】
本発明のマウスパッドは、ディスプレイに表示される画面を操作するマウスを載置するパッド部と、作業者の前腕部を載置する載置部とを有し、該載置部の左右方向の軸線に対してパッド部の左右幅方向の軸線が作業者側に鋭角を形成するよう相対的に傾斜していることを特徴としている。
【０００６】
上記構成において、載置部に作業者の前腕部を載置して、パッド部に載置したマウスを操作する。このとき、載置部の左右方向の軸線に対してパッド部の左右幅方向の軸線が作業者側に鋭角を形成するよう相対的に傾斜していることから、作業者は無理な体勢をとることなくマウスを操作することができるようになる。また、無理なく載置部に前腕部を載置しているから、マウス操作の前腕部の回動動作が確り支持され、マウスの操作を楽に行える。尚、ここで述べる前腕部とは掌部を含む概念である。
【０００７】
本発明のマウスパッドは、載置部の上面がパッド部の載置面から所定高さだけ上方に位置し、且つ前記上面はパッド部側に上傾斜していることが好ましい。この構成によれば、作業者の前腕部が上下方向でマウスに近くに位置することになる。このため、作業者の手首が返る角度が小さくなり、その分だけ作業者の前腕部に負担がかからず、マウスの操作が楽になる。
【０００８】
本発明は、マウスパッドに載置したマウスを操作する際に作業者の前腕部を載置するアームレストであって、マウスパッドの前面に接触させた際に前腕部を載置する上面の左右方向の軸線がマウスパッドの左右方向の軸線に対して作業者側に鋭角をなすよう構成されていることを特徴としている。
【０００９】
上記構成において、アームレストをマウスパッドの前面に接触させると、マウスパッドの前面に接触させた際に前腕部の載置する上面がマウスパッドの左右方向の軸線に対して作業者側に鋭角をなすようになるから、アームレストの上面に作業者がその前腕部を載置してマウスを操作した際に前腕部に負担がかからず、マウスの操作が楽になる。
【００１０】
本発明のアームレストは、マウスパッドの前部に当接して上面を鋭角とすべく上面より低い当接部を有することが好ましい。この構成によれば、マウスの操作範囲を確保しつつ、マウスの操作が楽になる。
【００１１】
本発明のアームレストは、前腕部を載置する上面が、マウスパッドの載置面から所定高さだけ上方に位置し、且つ前記上面はマウスパッド側に上傾斜していることが好ましい。この構成によれば、マウスの高さに応じるように前腕部を位置させることになるから、前腕部の返りを防止して、マウスの操作が楽に行える。
【００１２】
本発明のアームレストは、マウスパッドの前部に当接して上面を鋭角とすべく上面より低い当接部を有することが好ましい。この構成によれば、当接部が上面より低いからマウスの操作に邪魔にならない。
【００１３】
本発明のアームレストは、前腕部を載置する上面が、マウスパッドの載置面から所定高さだけ上方に位置し、且つ前記上面はマウスパッド側に上傾斜していることが好ましい。
【００１４】
この構成によれば、作業者の前腕部が上下方向でマウスに近くに位置することになる。このため、作業者の手首が返る角度が小さくなり、その分だけ作業者の前腕部に負担がかからず、マウスの操作が楽になる。
【発明の効果】
【００１５】
本発明のマウスパッドによれば、載置部の左右方向の軸線に対してパッド部の左右幅方向の軸線が作業者側に鋭角を形成するよう相対的に傾斜していることから、作業者は無理な体勢をとることなくマウスを操作することができるようになり、マウスの操作を楽に行える。また、本発明のアームレストによれば、アームレストをマウスパッドの前面に接触させると、マウスパッドの前面に接触させた際に前腕部の載置する上面がマウスパッドの左右方向の軸線に対して作業者側に鋭角をなすようになるから、アームレストの上面に作業者がその前腕部を載置してマウスを操作した際に前腕部に負担がかからず、マウスの操作を楽に行える。
【発明を実施するための最良の形態】
【００１６】
以下、本発明に係るマウスパッドおよびアームレストを図面に基づいて説明する。まず、図１乃至図５に基づいて本発明の第一の実施形態を説明する。図１は本発明の実施形態を示すマウスパッドの使用状態を示す斜視図、図２はマウスパッドの単体斜視図、図３および図４はマウスパッドの平面図、図５は図４におけるＡ−Ａ線断面図である。
【００１７】
これらの図に示すように、マウスパッド１は、パソコンのディスプレイ（図示せず）に表示される画面を操作するマウス２を載置するパッド部３と、作業者４（オペレータ）の前腕部５を載置する載置部６とを一体的に有する。パッド部３は平面視略矩形に形成され、所定の厚みを有する。載置部６はパッド部３の一隅部を傾斜するよう切欠くようにして該切欠部分に連設するよう一体的に形成されており、載置部６は平面視略矩形に形成されている。
【００１８】
そして、パッド部３と載置部６との関係は、パッド部３の左右方向の軸線７に対して載置部６の左右幅方向の軸線８が作業者４側（その前腕部５側）に鋭角、５°〜２０°、好ましくは１０°〜１５°を形成するよう傾斜している。この傾斜角度θ１は、作業者４が前腕部５を載置部６に無理な姿勢なく載置した際に、例えば前腕部５の軸線５ａにほぼ直角となるような角度である。
【００１９】
載置部６の上面１１は、パッド部３の載置面１０（パソコンあるいはキーボードの載置面１０でもある）から、該パッド部３の上面１２より高い所定高さだけ上方に位置し、且つ前記上面１１はパッド部３側に上傾斜している。すなわち載置部６の前端部６ａは例えばキーボードの前端部の高さ程度に略等しい高さに設定されるのが好ましく、載置部６の後端部６ｂはさらに高い位置となっている。この傾斜角度θ２は例えば５°〜２０°、好ましくは１０°〜１５°で上傾斜している。載置部６の左右方向幅Ｌ１はパッド部３の左右方向幅Ｌ２に較べて所定の比率で小さく設定されている。具体的には載置部６の左右方向幅Ｌ１はパッド部３の左右方向幅Ｌ２の略３：２程度で小さく設定されている。但し、載置部６の左右方向幅Ｌ１は作業者４の前腕部５（この場合、掌）を載置するのに充分な幅とする。
【００２０】
パッド部３の上面１２と載置部６の上面１１とはパッド部３側に向けて後傾斜する落下面１５によって連設されている。パッド部３の三隅部および載置部６の各隅部には、円弧状あるいは球面状の面取り１６が形成されている。
【００２１】
マウスパッド１はその底部に滑り止め１７が設けられ、例えばこの滑り止め１７は合成ゴムから形成されている。載置部６における滑り止め１７の上面にはクッション材１８が貼着されている。このクッション材１８は例えばウレタン樹脂等から形成されている。そして該クッション材１８を複数方向への伸縮性に富んだ伸縮性生地２０、例えば縦横方向に伸縮可能なクロロプレン（商品名：ネオプレン）で被覆した構成となっている。パッド部３は滑り止め１７の側面および上面を前記伸縮性生地２０にて覆われている。
【００２２】
上記構成において、作業者４は載置部６に前腕部５（この場合、右前腕部５）を載置し、パッド部３の上面１２に載置したマウス２を把持してこれを操作する。この際、マウス２自体は本来所定の高さを有するが、載置部６の上面１１は載置面１０から上方に位置しているから、マウス２を把持する際に手首の返りが生じるのを効果的に抑えることができる。さらに、一般的にマウス２を操作する際には、前腕部５は掌部を中心とした回動動作をすることが少なくない。そして載置部６は掌部を回動操作する場合でも、パッド部３と載置部６との関係は、パッド部３の左右方向の軸線７に対して載置部６の左右幅方向の軸線８が作業者４側（その前腕部５側）に傾斜するよう設定しているから作業者４が前腕部５を載置部６に無理な姿勢をとることなく載置してマウス２の操作を行い得る。さらに、載置部６の上面１１はパッド部３側に上傾斜させているから、マウス２操作時の前腕部５を側面視した際、これが直線的になっており、前腕部５（手首）の無理な返りがなく、マウス２操作が極めて楽に行える。
【００２３】
マウスパッド１はクッション材１８を有しているから、前腕部５を載置部６に載置した際、およびマウス２操作の際に前腕部５から働く力を吸収する。したがって、前腕部５を載置しても違和感なくマウス２操作をすることが可能となる。また、その表面に伸縮性生地２０を被覆した構成としているから、前腕部５の動きを伸縮性生地２０が吸収し、したがってその分だけ疲労感が少ない。さらに面取り１６の存在によって、前腕部５が載置部６の隅部に押圧されたとしても、作業者４の前腕部５に痛みを与えるのを防止することができる。
【００２４】
次に、図６乃至図１０に基づいて本発明の第二の実施形態を説明する。図６はマウスパッドに使用するアームレストの使用状態を示す斜視図、図７および図８は平面図、図９は側面図、図１０は図８におけるＢ−Ｂ線断面図である。
【００２５】
この実施形態におけるアームレスト３１は、マウスパッド３２（例えば、平面視して矩形に形成されている）に載置したマウス３３を操作する際に作業者４の前腕部５（図１参照）を載置するもので、マウスパッド３２の前面に接触させた際に前腕部５の載置する上面３５がマウスパッド３２の左右方向の軸線３７に対して作業者４側に鋭角をなす左右方向の軸線３８に沿うよう構成されているものである。
【００２６】
さらに具体的に、アームレスト３１は、平面視矩形の本体４０と、この本体４０の後部に一体的に後方に突出する平面視三角形の当接部４１とから形成されている。当接部４１の高さはマウスパッド３２の高さとほぼ同一に設定されている。そして、当接部４１の後端部４１ａをマウスパッド３２の前端部３２ａに当接させた際に、本体４０の左右方向の軸線３８が、マウスパッド３２の左右方向の軸線３７に対して作業者４側に所定の傾斜角度θ５で傾斜する構成となっている。
【００２７】
本体４０の上面３５は、マウスパッド３２の載置面４２（パソコンあるいはキーボードの載置面４２でもある）から、該マウスパッド３２の上面３６より高い所定高さだけ上方に位置し、且つ前記上面３５はマウスパッド３２側に上傾斜している。すなわち本体４０の前端部４０ａは例えばキーボードの前端部の高さに略等しい高さに設定され、本体４０の後端部４０ｂはさらに高い位置となっている。この傾斜角度θ６は例えば５°〜２０°、好ましくは１０°〜１５°で上傾斜している。本体４０の左右方向幅Ｌ３はマウスパッド３２の左右方向幅Ｌ４に較べて所定の比率で小さく設定されている。例えば本体４０の左右方向幅Ｌ３はマウスパッド３２の左右方向幅Ｌ４の略３：２程度で小さく設定されていることが好ましい。但し、本体４０の左右方向幅Ｌ３は作業者４の前腕部５を載置するのに充分な幅とする。
【００２８】
本体４０の上面３５と当接部４１の上面３９とは本体４０の上面３５から当接部４１の上面３６に向けて後傾斜する落下面４５によって連設されている。本体４０の四隅部および当接部４１の各隅部には、円弧状あるいは球面状の面取り４６が形成されている。
【００２９】
アームレスト３１はその底部に滑り止め４７が設けられ、例えばこの滑り止め４７は合成ゴムから形成されている。本体４０における滑り止め４７の上面にはクッション材４８が貼着されている。このクッション材４８は例えばウレタン樹脂等から形成されている。そして該クッション材４８を複数方向への伸縮性に富んだ伸縮性生地５０、例えば縦横方向に伸縮可能なクロロプレン（商品名：ネオプレン）で被覆した構成となっている。アームレスト３１は滑り止め４７の側面および上面を前記伸縮性生地５０にて覆われている。
【００３０】
上記構成において、例えば当接部４１の後端部４０ｂをマウスパッド３２の直線的な前端部３２ａに当接するようにして、載置面４２に載置する。そうすると、当接部４１は平面視三角形に形成されているから、本体４０の左右方向の軸線３８が、マウスパッド３２の左右方向軸線３７に対して作業者４側に所定の傾斜角度θ５で傾斜した状態となる。
【００３１】
作業者４はこのようにマウスパッド３２に対して傾斜した本体４０の上面３５に前腕部５を載置して、マウスパッド３２に載置したマウスパッド３２の操作を行うことになる。この際、本体４０は所定の高さを有するが、本体４０の上面３５は載置面４２から上方に位置しているから、マウスパッド３２を把持する際に手首の返りが生じるのを効果的に抑えることができる。さらに、一般的にマウスパッド３２を操作する際には、前腕部５は掌部を中心とした回動動作をすることが少なくない。そして本体４０は掌部を回動操作する場合でも、マウスパッド３２と本体４０との関係は、マウスパッド３２の左右方向の軸線３７に対して本体４０の左右幅方向の軸線３８が作業者４側に傾斜するよう設定しているから、作業者４が前腕部５を本体４０に無理な姿勢なく載置してマウスパッド３２の操作を行い得る。さらに、本体４０の上面３５はマウスパッド３２側に上傾斜させているから、マウスパッド３２操作時の前腕部５を側面視した際、これが直線的になっており、前腕部５（手首）の無理な返りがなく、マウスパッド３２操作が極めて楽に行える。
【００３２】
アームレスト３１はクッション材４８を有しているから、前腕部５を本体４０に載置した際、およびマウスパッド３２操作の際に前腕部５から働く力を吸収する。したがって、違和感なくマウスパッド３２操作をすることが可能となる。また、その表面に伸縮性生地５０を被覆した構成としているから、前腕部５の動きを伸縮性生地５０が吸収し、したがってその分だけ疲労感が少ない。さらに面取り４６の存在によって、前腕部５が本体４０の隅部に押圧されたとしても、作業者４の前腕部５に痛みを与えるのを防止することができる。
【００３３】
本発明は上記実施形態に限定されるものではく、例えば第一の実施形態においてはパッド部と載置部との連続部分を蛇腹状に構成し、第二の実施形態では当接部を蛇腹状に構成して、このような蛇腹部分を伸縮させることで、載置部、あるいは当接部の角度を変更可能として、パッド部あるいは本体の傾斜角度を変更可能に構成するようにすることもできる。このようにすることで、作業者にとってマウスが操作し易い傾斜角度が得られる。
【図面の簡単な説明】
【００３４】
【図１】本発明の実施形態を示すマウスパッドの使用状態を示す斜視図。
【図２】同じくマウスパッドの単体斜視図。
【図３】同じくマウスパッドの平面図。
【図４】同じくマウスパッドの平面図。
【図５】同じく図４におけるＡ−Ａ線断面図。
【図６】本発明の第二の実施形態を示すマウスパッドに使用するアームレストの使用状態を示す斜視図。
【図７】同じくアームレストの平面図。
【図８】同じくアームレストの平面図。
【図９】同じくアームレストの側面図。
【図１０】同じく図８におけるＢ−Ｂ線断面図。
【符号の説明】
【００３５】
１…マウスパッド、２…マウス、３…パッド部、４…作業者、５…前腕部、６…載置部、７…パッド部の左右方向の軸線、８…載置部の左右幅方向の軸線、１１…載置部の上面、１０…パッド部の載置面、１２…パッド部の上面、１５…落下面、１７…滑り止め、１８…クッション材、２０…伸縮性生地、３１…アームレスト、３２…マウスパッド、３５…本体の上面、３７…マウスパッドの左右方向の軸線、３８…本体の左右方向の軸線、４０…本体、４１…当接部、４２…マウスパッドの載置面
【図１】
2006350584.tif 000003
【図２】
2006350584.tif 000004
【図３】
2006350584.tif 000005
【図４】
2006350584.tif 000006
【図５】
2006350584.tif 000007
【図６】
2006350584.tif 000008
【図７】
2006350584.tif 000009
【図８】
2006350584.tif 000010
【図９】
2006350584.tif 000011
【図１０】
2006350584.tif 000012
【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
ディスプレイに表示される画面を操作するマウスを載置するための上面を有する矩形平板状のパッド部が設けられ、該パッド部の後部左右両隅部のうち作業者に近い側に、作業者が前腕部を載置するようにしてパッド部の上面のマウスを操作するための載置部が一体形成され、該載置部の上面は、パッド部の上面に比べて上方に位置して平面視矩形であってしかも上面はその前方が後方に比べて高くなるよう形成されており、前記載置部はその後端面がパッド部の左右幅方向に沿う軸線に対して作業者側を向くように平面視鋭角に傾斜していることを特徴とするマウスマッド。
【請求項２】
載置部の左右方向幅は前腕部を載置するのに充分な幅で、しかもパッド部の左右方向幅に較べて小さく設定されていることを特徴とする請求項１記載のマウスパッド。
【請求項３】
鋭角は、５°〜２０°、好ましくは１０°〜１５°に設定されていることを特徴とする請求項１または請求項２記載のマウスパッド。
【請求項４】
載置部の各隅部には、円弧状あるいは球面状の面取りが形成されていることを特徴とする請求項１または請求項３記載のマウスパッド。
【請求項５】
マウスパッドに載置したマウスを操作する際に作業者の前腕部を載置するアームレストであって、平面視矩形のアームレスト本体が設けられ、アームレスト本体の前部に前方に突出する当接部が一体的に形成され、前記アームレスト本体は、マウスパッドの上面に比べて上方に位置する上面を有し、前記当接部は平面視三角形に形成されて、その前端部をマウスパッドの後部に形成された直線状の後端部に当接させた際に、前記マウスパッドの左右幅方向に沿う軸線に対してアームレスト本体の後端面が平面視鋭角で作業者側を向くように傾斜させるよう構成され、アームレスト本体の上面はその前方が後方に比べて高くなるよう形成されていることを特徴とするアームレスト。
【請求項６】
鋭角は、５°〜２０°、好ましくは１０°〜１５°に設定されていることを特徴とする請求項５記載のアームレスト。
【請求項７】
アームレスト本体の四隅部には、円弧状あるいは球面状の面取りが形成されていることを特徴とする請求項５または請求項６記載のアームレスト。
【手続補正２】
【補正対象書類名】明細書
【補正対象項目名】全文
【補正方法】変更
【補正の内容】
【発明の詳細な説明】
【技術分野】
【０００１】
本発明は、例えばパーソナルコンピュータ等の電子機器を操作するマウスを載置するマウスパッドおよびマウスを操作するのに用いるアームレストに関する。
【背景技術】
【０００２】
従来、パーソナルコンピュータ（以下単に「パソコン」と称す）等の電子機器に付設するマウスを載置してこれを操作するためにマウスパッドが用いられる。このようなマウスパッドには、マウスを載置するパッド部に作業者の前腕部を載置するアームレスト部を一体的に設けたものがある（例えば、特許文献１参照）。上記マウスパッドでは、作業者はアームレスト部に右前腕部を載置して、パッド部に載置したマウスを操作するようにして使用する。
【特許文献１】特開２０００−４７７９５号公報
【発明の開示】
【発明が解決しようとする課題】
【０００３】
しかしながら、上記従来のマウスパッドにおけるアームレスト部は、パッド部の左右幅方向の軸線に対してその軸線が平行であった。このため、作業者がアームレストブレードに前腕部を載置してマウスを操作する際、前腕部が内側に向く傾向となり、人間工学的には無理な姿勢になる傾向にあり、マウスの操作がし難かった。
【０００４】
そこで本発明は、上記課題に鑑み、マウスの操作を無理な姿勢をとることなく行い得るマウスパッドおよびアームレストの提供を課題とする。
【課題を解決するための手段】
【０００５】
本発明のマウスパッドは、ディスプレイに表示される画面を操作するマウスを載置するための上面を有する矩形平板状のパッド部が設けられ、該パッド部の後部左右両隅部のうち作業者に近い側に、作業者が前腕部を載置するようにしてパッド部の上面のマウスを操作するための載置部が一体形成され、該載置部の上面は、パッド部の上面に比べて上方に位置して平面視矩形であってしかも上面はその前方が後方に比べて高くなるよう形成されており、前記載置部はその後端面がパッド部の左右幅方向に沿う軸線に対して作業者側を向くように平面視鋭角に傾斜していることを特徴としている。
【０００６】
上記構成において、載置部に作業者の前腕部を載置して、パッド部に載置したマウスを操作する。このとき、載置部はその後端面がパッド部の左右幅方向に沿う軸線に対して作業者側を向くように平面視鋭角に傾斜していることから、作業者は無理な体勢をとることなくマウスを操作することができるようになる。また、無理なく載置部に前腕部を載置しているから、マウス操作の前腕部の回動動作が確り支持され、マウスの操作を楽に行える。尚、ここで述べる前腕部とは掌部を含む概念である。
【０００７】
また、載置部の上面は、パッド部の上面に比べて上方に位置して平面視矩形であってしかも載置部の上面はその前方が後方に比べて高くなるよう形成されているから、作業者がその前腕部を載置部の上面に載置した際に、上下方向でマウスに近くに位置することになる。このため、作業者の手首が返る角度が小さくなり、その分だけ作業者の前腕部に負担がかからず、マウスの操作が楽になる。
【０００８】
本発明のマウスパッドでは、載置部の左右方向幅は前腕部を載置するのに充分な幅で、しかもパッド部の左右方向幅に較べて小さく設定されていることが好ましい。
【０００９】
また、本発明のマウスパッドでは、載置部の各隅部には、円弧状あるいは球面状の面取りが形成されていることが好ましい。また、鋭角は、５°〜２０°、好ましくは１０°〜１５°に設定されている。
【００１０】
本発明のアームレストは、マウスパッドに載置したマウスを操作する際に作業者の前腕部を載置するアームレストであって、平面視矩形のアームレスト本体が設けられ、アームレスト本体の前部に前方に突出する当接部が一体的に形成され、前記アームレスト本体は、マウスパッドの上面に比べて上方に位置する上面を有し、前記当接部は平面視三角形に形成されて、その前端部をマウスパッドの後部に形成された直線状の後端部に当接させた際に、前記マウスパッドの左右幅方向に沿う軸線に対してアームレスト本体の後端面が平面視鋭角で作業者側を向くように傾斜させるよう構成され、アームレスト本体の上面はその前方が後方に比べて高くなるよう形成されていることを特徴としている。
【００１１】
上記構成において、アームレストをマウスパッドの前面に接触させると、マウスパッドの前面に接触させた際にアームレスト本体の後端面が平面視鋭角で作業者側を向くようになるから、アームレストの上面に作業者がその前腕部を載置してマウスを操作した際に前腕部に負担がかからず、マウスの操作が楽になる。
また、アームレスト本体の上面はその前方が後方に比べて高くなるよう形成されているから、作業者の前腕部が上下方向でマウスに近くに位置することになる。このため、作業者の手首が返る角度が小さくなり、その分だけ作業者の前腕部に負担がかからず、マウスの操作が楽になる。
【００１２】
本発明のアームレストは、アームレスト本体の四隅部には、円弧状あるいは球面状の面取りが形成されていることが好ましい。また、鋭角は、５°〜２０°、好ましくは１０°〜１５°に設定されている。
【００１３】
また、マウスパッドの前部に当接して上面を鋭角とすべく上面より低い当接部を有することが好ましい。この構成によれば、マウスの操作範囲を確保しつつ、マウスの操作が楽になる。
【００１４】
また、マウスパッドの前部に当接して上面を鋭角とすべく上面より低い当接部を有することが好ましい。この構成によれば、当接部が上面より低いからマウスの操作に邪魔にならない。
【発明の効果】
【００１５】
本発明のマウスパッドによれば、載置部の左右幅方向の軸線に対してパッド部の左右幅方向の軸線が作業者側に鋭角を形成するように傾斜していることから、作業者は無理な体勢をとることなくマウスを操作することができるようになり、マウスの操作を楽に行える。
また、本発明のアームレストによれば、アームレストをマウスパッドの前面に接触させると、マウスパッドの後端面に接触させた際に前腕部の載置する上面がマウスパッドの左右幅方向の軸線に対して作業者側に鋭角をなすようになるから、アームレストの上面に作業者がその前腕部を載置してマウスを操作した際に前腕部に負担がかからず、マウスの操作を楽に行える。
【発明を実施するための最良の形態】
【００１６】
以下、本発明に係るマウスパッドおよびアームレストを図面に基づいて説明する。まず、図１乃至図５に基づいて本発明の第一の実施形態を説明する。図１は本発明の実施形態を示すマウスパッドの使用状態を示す斜視図、図２はマウスパッドの単体斜視図、図３および図４はマウスパッドの平面図、図５は図４におけるＡ−Ａ線断面図である。
【００１７】
これらの図に示すように、マウスパッド１は、パソコンのディスプレイ（図示せず）に表示される画面を操作するマウス２を載置するパッド部３と、作業者４（オペレータ）の前腕部５を載置する載置部６とを一体的に有する。パッド部３は平面視略矩形に形成され、所定の厚みを有する。載置部６はパッド部３の一隅部を傾斜するよう切欠くようにして該切欠部分に連設するよう一体的に形成されており、載置部６は平面視略矩形に形成されている。
【００１８】
そして、パッド部３と載置部６との関係は、パッド部３の左右幅方向の軸線７に対して載置部６の左右幅方向の軸線８が作業者４側（その前腕部５側）に鋭角、５°〜２０°、好ましくは１０°〜１５°を形成するよう傾斜している。この傾斜角度θ１は、作業者４が前腕部５を載置部６に無理な姿勢なく載置した際に、例えば前腕部５の軸線５ａにほぼ直角となるような角度である。
【００１９】
載置部６の上面１１は、パッド部３の載置面１０（パソコンあるいはキーボードの載置面１０でもある）から、該パッド部３の上面１２より高い所定高さだけ上方に位置し、且つ前記上面１１はパッド部３側に上傾斜している。すなわち載置部６の前端部６ａは例えばキーボードの前端部の高さ程度に略等しい高さに設定されるのが好ましく、載置部６の後端部６ｂはさらに高い位置となっている。この傾斜角度θ２は例えば５°〜２０°、好ましくは１０°〜１５°で上傾斜している。載置部６の左右方向幅Ｌ１はパッド部３の左右方向幅Ｌ２に較べて所定の比率で小さく設定されている。具体的には載置部６の左右方向幅Ｌ１はパッド部３の左右方向幅Ｌ２の略３：２程度で小さく設定されている。但し、載置部６の左右方向幅Ｌ１は作業者４の前腕部５（この場合、掌）を載置するのに充分な幅とする。
【００２０】
パッド部３の上面１２と載置部６の上面１１とはパッド部３側に向けて前傾斜する落下面１５によって連設されている。パッド部３の三隅部および載置部６の各隅部には、円弧状あるいは球面状の面取り１６が形成されている。
【００２１】
マウスパッド１はその底部に滑り止め１７が設けられ、例えばこの滑り止め１７は合成ゴムから形成されている。載置部６における滑り止め１７の上面にはクッション材１８が貼着されている。このクッション材１８は例えばウレタン樹脂等から形成されている。そして該クッション材１８を複数方向への伸縮性に富んだ伸縮性生地２０、例えば縦横方向に伸縮可能なクロロプレン（商品名：ネオプレン）で被覆した構成となっている。パッド部３は滑り止め１７の側面および上面を前記伸縮性生地２０にて覆われている。
【００２２】
上記構成において、作業者４は載置部６に前腕部５（この場合、右前腕部５）を載置し、パッド部３の上面１２に載置したマウス２を把持してこれを操作する。この際、マウス２自体は本来所定の高さを有するが、載置部６の上面１１は載置面１０から上方に位置しているから、マウス２を把持する際に手首の返りが生じるのを効果的に抑えることができる。さらに、一般的にマウス２を操作する際には、前腕部５は掌部を中心とした回動動作をすることが少なくない。そして載置部６は掌部を回動操作する場合でも、パッド部３と載置部６との関係は、パッド部３の左右幅方向の軸線７に対して載置部６の左右幅方向の軸線８が作業者４側（その前腕部５側）に傾斜するよう設定しているから作業者４が前腕部５を載置部６に無理な姿勢をとることなく載置してマウス２の操作を行い得る。さらに、載置部６の上面１１はパッド部３側に上傾斜させているから、マウス２操作時の前腕部５を側面視した際、これが直線的になっており、前腕部５（手首）の無理な返りがなく、マウス２操作が極めて楽に行える。
【００２３】
マウスパッド１はクッション材１８を有しているから、前腕部５を載置部６に載置した際、およびマウス２操作の際に前腕部５から働く力を吸収する。したがって、前腕部５を載置しても違和感なくマウス２操作をすることが可能となる。また、その表面に伸縮性生地２０を被覆した構成としているから、前腕部５の動きを伸縮性生地２０が吸収し、したがってその分だけ疲労感が少ない。さらに面取り１６の存在によって、前腕部５が載置部６の隅部に押圧されたとしても、作業者４の前腕部５に痛みを与えるのを防止することができる。
【００２４】
次に、図６乃至図１０に基づいて本発明の第二の実施形態を説明する。図６はマウスパッドに使用するアームレストの使用状態を示す斜視図、図７および図８は平面図、図９は側面図、図１０は図８におけるＢ−Ｂ線断面図である。
【００２５】
この実施形態におけるアームレスト３１は、マウスパッド３２（例えば、平面視して矩形に形成されている）に載置したマウス３３を操作する際に作業者４の前腕部５（図１参照）を載置するもので、マウスパッド３２の後面に接触させた際に前腕部５の載置する上面３５がマウスパッド３２の左右幅方向の軸線３７に対して作業者４側に鋭角をなす左右幅方向の軸線３８に沿うよう構成されているものである。
【００２６】
さらに具体的に、アームレスト３１は、平面視矩形のアームレスト本体４０（以下、単に本体４０という）と、この本体４０の前部に一体的に前方に突出する平面視三角形の当接部４１とから形成されている。当接部４１の高さはマウスパッド３２の高さとほぼ同一に設定されている。そして、当接部４１の前端部４１ａをマウスパッド３２の後端部３２ａに当接させた際に、本体４０の左右幅方向の軸線３８が、マウスパッド３２の左右幅方向の軸線３７に対して作業者４側に所定の傾斜角度θ５で傾斜する構成となっている。
【００２７】
本体４０の上面３５は、マウスパッド３２の載置面４２（パソコンあるいはキーボードの載置面４２でもある）から、該マウスパッド３２の上面３６より高い所定高さだけ上方に位置し、且つ前記上面３５はマウスパッド３２側に上傾斜している。すなわち本体４０の後端部４０ａは例えばキーボードの後端部の高さに略等しい高さに設定され、本体４０の前端部４０ｂはさらに高い位置となっている。この傾斜角度θ６は例えば５°〜２０°、好ましくは１０°〜１５°で上傾斜している。本体４０の左右方向幅Ｌ３はマウスパッド３２の左右方向幅Ｌ４に較べて所定の比率で小さく設定されている。例えば本体４０の左右方向幅Ｌ３はマウスパッド３２の左右方向幅Ｌ４の略３：２程度で小さく設定されていることが好ましい。但し、本体４０の左右方向幅Ｌ３は作業者４の前腕部５を載置するのに充分な幅とする。
【００２８】
本体４０の上面３５と当接部４１の上面３９とは本体４０の上面３５から当接部４１の上面３６に向けて前傾斜する落下面４５によって連設されている。本体４０の四隅部および当接部４１の各隅部には、円弧状あるいは球面状の面取り４６が形成されている。
【００２９】
アームレスト３１はその底部に滑り止め４７が設けられ、例えばこの滑り止め４７は合成ゴムから形成されている。本体４０における滑り止め４７の上面にはクッション材４８が貼着されている。このクッション材４８は例えばウレタン樹脂等から形成されている。そして該クッション材４８を複数方向への伸縮性に富んだ伸縮性生地５０、例えば縦横方向に伸縮可能なクロロプレン（商品名：ネオプレン）で被覆した構成となっている。アームレスト３１は滑り止め４７の側面および上面を前記伸縮性生地５０にて覆われている。
【００３０】
上記構成において、例えば当接部４１の後端部４０ｂをマウスパッド３２の直線的な後端部３２ａに当接するようにして、載置面４２に載置する。そうすると、当接部４１は平面視三角形に形成されているから、本体４０の左右幅方向の軸線３８が、マウスパッド３２の左右幅方向の軸線３７に対して作業者４側に所定の傾斜角度θ５で傾斜した状態となる。
【００３１】
作業者４はこのようにマウスパッド３２に対して傾斜した本体４０の上面３５に前腕部５を載置して、マウスパッド３２に載置したマウスパッド３２の操作を行うことになる。この際、本体４０は所定の高さを有するが、本体４０の上面３５は載置面４２から上方に位置しているから、マウスパッド３２を把持する際に手首の返りが生じるのを効果的に抑えることができる。さらに、一般的にマウスパッド３２を操作する際には、前腕部５は掌部を中心とした回動動作をすることが少なくない。そして本体４０は掌部を回動操作する場合でも、マウスパッド３２と本体４０との関係は、マウスパッド３２の左右幅方向の軸線３７に対して本体４０の左右幅方向の軸線３８が作業者４側に傾斜するよう設定しているから、作業者４が前腕部５を本体４０に無理な姿勢なく載置してマウスパッド３２の操作を行い得る。さらに、本体４０の上面３５はマウスパッド３２側に上傾斜させているから、マウスパッド３２操作時の前腕部５を側面視した際、これが直線的になっており、前腕部５（手首）の無理な返りがなく、マウスパッド３２操作が極めて楽に行える。
【００３２】
アームレスト３１はクッション材４８を有しているから、前腕部５を本体４０に載置した際、およびマウスパッド３２操作の際に前腕部５から働く力を吸収する。したがって、違和感なくマウスパッド３２操作をすることが可能となる。また、その表面に伸縮性生地５０を被覆した構成としているから、前腕部５の動きを伸縮性生地５０が吸収し、したがってその分だけ疲労感が少ない。さらに面取り４６の存在によって、前腕部５が本体４０の隅部に押圧されたとしても、作業者４の前腕部５に痛みを与えるのを防止することができる。
【００３３】
本発明は上記実施形態に限定されるものではく、例えば第一の実施形態においてはパッド部と載置部との連続部分を蛇腹状に構成し、第二の実施形態では当接部を蛇腹状に構成して、このような蛇腹部分を伸縮させることで、載置部、あるいは当接部の角度を変更可能として、パッド部あるいは本体の傾斜角度を変更可能に構成するようにすることもできる。このようにすることで、作業者にとってマウスが操作し易い傾斜角度が得られる。
【図面の簡単な説明】
【００３４】
【図１】本発明の実施形態を示すマウスパッドの使用状態を示す斜視図。
【図２】同じくマウスパッドの単体斜視図。
【図３】同じくマウスパッドの平面図。
【図４】同じくマウスパッドの平面図。
【図５】同じく図４におけるＡ−Ａ線断面図。
【図６】本発明の第二の実施形態を示すマウスパッドに使用するアームレストの使用状態を示す斜視図。
【図７】同じくアームレストの平面図。
【図８】同じくアームレストの平面図。
【図９】同じくアームレストの側面図。
【図１０】同じく図８におけるＢ−Ｂ線断面図。
【符号の説明】
【００３５】
１…マウスパッド、２…マウス、３…パッド部、４…作業者、５…前腕部、６…載置部、７…パッド部の左右幅方向の軸線、８…載置部の左右幅方向の軸線、１１…載置部の上面、１０…パッド部の載置面、１２…パッド部の上面、１５…落下面、１７…滑り止め、１８…クッション材、２０…伸縮性生地、３１…アームレスト、３２…マウスパッド、３５…本体の上面、３７…マウスパッドの左右幅方向の軸線、３８…本体の左右幅方向の軸線、４０…本体、４１…当接部、４２…マウスパッドの載置面